(57)【要約】【課題】卓上切断機で被切断材を切断する前、のこ刃の切断位置に被切断材の墨線を合わせる作業を、被切断材を両手で微調整できるようにすることにより迅速かつ正確にのこ刃に墨線を合わせられるようにすることである。【解決手段】ターンテーブル２前方端部付近にスライドバー１４を立設し、のこ刃４側面に対し平行に隣接する墨線合わせプレート１１を、スライドバー１４に上下動自在に設け、プレート１１を被切断材の高さに追従し上下移動可能にした。【選択図】  図２
2004291503.tif 000002
【特許請求の範囲】
【請求項１】
被切断材を支持するベース部と、該ベース部上面に固定され被切断材を支持するフェンスと、前記ベースに水平回動自在に埋設したターンテーブルと、該ターンテーブル後方に連結されたホルダと、該ホルダ上部にベース部上面に対して上下揺動自在に設けた丸のこ部を有する卓上切断機であって、
前記ターンテーブル前方端部付近にスライドバーを立設し、前記のこ刃側面に対し平行に隣接するプレートを前記スライドバーに上下摺動自在に設け、該プレートを被切断材の高さに追従し上下移動可能にしたことを特徴とする卓上切断機。
【請求項２】
上記スライドバーをのこ刃側面と垂直方向に移動させるための調整ノブをターンテーブル前方端部付近に配設したことを特徴とする請求項１記載の卓上切断機。
【発明の詳細な説明】
【０００１】
【発明の属する技術分野】
本発明は、墨線合わせ装置を有する卓上切断機に関する。
【０００２】
【従来の技術】
従来技術を図５、６により説明する。従来の卓上切断機の墨線合わせ方法は、ベース１上面に被切断材５を支持するフェンス１６とベース１のほぼ中央に埋設されたターンテーブル２上面に被切断材５を載置し、まずサイドハンドル３を緩め、ベース１とターンテーブル２との固定状態を解除し、のこ刃４が保持されている丸のこ部９を支持するターンテーブル２を回動させ、丸のこ部９を所望の位置に合わせる。所望の位置に達したところで、サイドハンドル３を締め付けてターンテーブル２とベース１を固定し、一方の手で丸のこ部９に保持したのこ刃４を被切断材５上面に当接する近くまで下方に揺動させて丸のこ部９を保持したまま、他方の手では被切断材５を左右に微調整させて、のこ刃４に被切断材５の墨線を合わせる。墨線を合わせた後、のこ刃４を保持した丸のこ部９を上限に戻し、のこ刃４をモーター１０により軸１５を介して回転させ、再度のこ刃４を保持した丸のこ部９を切り込み用ハンドル７で下方に揺動させて被切断材５に切り込みを与え、切断完了後、のこ刃４を保持した丸のこ部９を上限に戻し切断作業が完了する。
【０００３】
【発明が解決しようとする課題】
従来の卓上切断機で墨線合わせをする場合、上記したように一方の手でのこ刃を保持した丸のこ部を一度下方に揺動させ保持したままで、もう一方の手では被切断材を左右に移動させ、のこ刃に墨線を合わせなくてはならないという困難さがあった。
【０００４】
本発明の目的は、墨線合わせ時、被切断材を両手で微調整できることにより迅速かつ正確にのこ刃に墨線を合わせることができる卓上切断機を提供することである。
【０００５】
【課題を解決するための手段】
上記目的は、被切断材を支持するベース部と、該ベース部上面に固定され被切断材を支持するフェンスと、前記ベースに水平回動自在に埋設したターンテーブルと、該ターンテーブル後方に連結されたホルダと、該ホルダ上部にベース部上面に対して上下揺動自在に設けた丸のこ部を有する卓上切断機において、前記ターンテーブル前方端部付近にスライドバーを立設し、前記のこ刃側面に対し平行に隣接するプレートを、前記スライドバーに上下動自在に設け、該プレートを被切断材の高さに追従し上下移動可能にしたことで達成される。
【０００６】
【発明の実施の形態】
本発明の一実施形態を図１〜図４により説明する。図１は卓上切断機の正面図、図２は図１の左側面図、図３は図２の上面図、図４は図１の詳細図である。
【０００７】
図において、ベース１上面に被切断材を支持するフェンス１６を固定する。ベース１のほぼ中央にターンテーブル２を水平方向へ回動自在に埋設し、ベース１のみ又はベース１とターンテーブル２で被切断材５を載置する本発明ベース部を構成している。ターンテーブル２後部にホルダ６を連結し、ホルダ６上方には、切り込み用ハンドル７を備えモーター１０により軸１５を介して回転駆動するのこ刃４を保持した丸のこ部９が、ホルダシャフト８によりターンテーブル２上面に対し上下摺動自在に軸支され、スプリング１２により上方に付勢されている。ターンテーブル２前方端部付近に配設した孔１３にスライドバー１４を立設し嵌合させ、スライドバー１４に、のこ刃４側面に対し平行に隣接する墨線合わせプレート１１を被切断材５上面に上下移動自在に嵌合させる。更に、スライドバー１４をターンテーブル２の嵌合部孔１３に左右移動可能に設け、スライドバー１４片側側面とターンテーブル２嵌合部孔１３の側面間に圧縮スプリング１８が当接し付勢している。ターンテーブル２の圧縮スプリング１８の対向する側面にはスライドバー１４に直交した調整ノブ１７をねじ嵌合し、調整ノブ端部でスライドバー１４を係止している。
【０００８】
上記構成において、ターンテーブル２上面に被切断材５をフェンス１６に押し当てた状態で載置し、のこ刃４を保持した丸のこ部９を切り込み用ハンドル７で下方に揺動させ、調整ノブ１７の回転によりスライドバー１４と共に墨線合わせプレート１１を横移動させのこ刃４の側面に隣接させる。その後、丸のこ部９を上限に戻す。
【０００９】
被切断材５の墨線（通常被切断材へは切断位置を示す墨線が引かれている）と墨線合わせプレート１１の側面を両手で被切断材５を移動して合わせ、被切断材５を固定後、のこ刃４を保持した丸のこ部９を切り込み用ハンドル７で下方に揺動させて被切断材５に切り込みを与え、切断完了後、のこ刃４を保持した丸のこ部９を上限に戻し切断作業が完了する。
【００１０】
【発明の効果】
本発明によれば、ターンテーブル前方端部付近に、のこ刃側面に対し平行に隣接し、被切断材の高さに調整可能な墨線合わせプレートを被切断材上面に設けることにより、のこ刃を下降させなくても被切断材側面と墨線合わせプレートの側面を合わせれば切断位置の設定ができるため、両手で被切断材を移動できるようになることで微量な横移動も容易にできる。
また、墨線合わせプレートをのこ刃の厚みに対して左右調整可能としたので、厚さが異なるのこ刃を使用した場合にも容易に切断位置を正確に合わせることができる。
【図面の簡単な説明】
【図１】本発明の一実施形態を示す卓上切断機の正面図。
【図２】図１の左側面図。
【図３】図２のＡ方向より見た図。
【図４】図１の詳細図。
【図５】従来例を示す卓上切断機の正面図。
【図６】図４の左側面図。
【符号の説明】
１はベース、２はターンテーブル、３はサイドハンドル、４はのこ刃、５は被切断材、６はホルダ、７は切り込み用ハンドル、８はホルダシャフト、９は丸のこ部、１０はモーター、１１は墨線合わせプレート、１２はスプリング、１３は孔、１４はスライドバー、１５は軸、１６はフェンス、１７は調整ノブ、１８は圧縮スプリングである。
【図１】
2004291503.tif 000003
【図２】
2004291503.tif 000004
【図３】
2004291503.tif 000005
【図４】
2004291503.tif 000006
【図５】
2004291503.tif 000007
【図６】
2004291503.tif 000008